(57)【要約】      （修正有）【課題】プラスチックの使用量が少なく、従って低コストで、その上緩衝性に優れ、外圧の衝撃や落下に対して、コンパクトディスクを安全に保護する。【解決手段】  入り枚数コンパクトディスクの積み重ね上に、それより若干大きい円盤状の蓋を重ねた外形を、四角ブロック３にくり抜いて円筒２＋蓋溝１０を成し、その円筒底４の中心線上に、コンパクトディスク記録面を若干浮かす円台５と、コンパクトディスク穴を差し込む差込棒６を立ち上げ、さらに四角ブロック３の四隅に、円筒２＋蓋溝１０の側面より全高で指入溝７を凹まして容器部８を成し、それに別途に設けた蓋１の、差込穴を差込棒６に差し込むと、同時に蓋溝１０に蓋もはまってケ−スを密閉できるもので、これらを発泡プラスチック成型で形成するものであり、差込棒６と差込穴を設けずに形成してもよく、全形を薄板状で中空形成するプラスチック射出成型により形成してもよい。【選択図】図１
0003139004.tif 000002
【実用新案登録請求の範囲】
【請求項１】
積重ねた入枚数コンパクトディスクの上に、コンパクトディスク径より若干大きい、円盤状の蓋１を重ねた外形が、ほぼピッタリはまる円筒２＋蓋溝１０を四角ブロック３にくり抜き、その円筒底４の中心に、コンパクトディスク記録面を若干浮かす円台５が立ち上がり、さらにその中心に、コンパクトディスク穴をほぼピッタリ差し込める差込棒６が、四角ブロック３高で立ち上がり、さらに四角ブロック４の四隅に、指を差し込める大きさの指入溝７が、円筒２＋蓋溝１０の側面から凹み、これらによって容器部８を成したものに、別途に設けた蓋１の、中心に開いた差込穴９を差込棒６にはめると、同時に蓋溝１０に蓋１もはまってケ−スを密閉できるものであり、以上を緩衝材で知られる発泡プラスチック成型するコンパクトディスク固定包装・保存緩衝ケ−ス。
【請求項２】
差込棒６と差込穴９を設けずに形成した、請求項１記載のコンパクトディスク固定包装・保存緩衝ケ−ス。
【請求項３】
本考案を発泡プラスチック成型せずに、全形を適当厚の薄板状で型取り、中空形態に形成するプラスチック射出成型により成る、１−２いずれかに記載のコンパクトディスク固定包装・保存緩衝ケ−ス。
【考案の詳細な説明】
【技術分野】
【０００１】  本考案は、多数枚入りコンパクトディスクが、ケ−ス内で動いてキズ付かないよう固定した上、外圧や落下等の衝撃からも保護する、包装・保存ケ−スに関するものである。
【背景技術】
【０００２】  従来の多数枚入りコンパクトディスクの包装・保存ケ−スには、プラスチック射出成型製で、コンパクトディスク穴に差し込んで固定する、差込棒が立ち上がった台盤に、円筒カバ−をかぶせてセットする、スピンドルケ−スが多く知られている。
【考案の開示】
【考案が解決しようとする課題】
【０００３】  スピンドルケ−スはプラスチック射出成型のため、省資源化時代においてプラスチックの使用量が多く、従ってコスト的にも高くつく上、強い衝撃により破損する危険性もあり、また円筒カバ−を台盤に回し込んでケ−スをロックする手間がかかる。そこで緩衝性に優れた上、軽量である発泡プラスチック成型により、前述の欠点を解決しようとするものである。
【課題を解决するための手段】
【０００４】  本考案は、重ねた入枚数コンパクトディスクの上に、コンパクトディスク径より若干大きい、円盤状の蓋１を重ねた外形が、ほぼピッタリはまる円筒２＋蓋溝１０を、四角ブロック３にくり抜き、その円筒底４の中心に、コンパクトディスク記録面を若干浮かす、円台５が立ち上がり、さらにその中心に、コンパクトディスクをほぼちょうど差し込める、差込棒６が立ち上がり、さらに四角ブロック４の四隅に、指を差し込める大きさの指入溝７が、円筒２の側面から凹んだもので容器部８を成し、それに別途に設けた蓋１の、中心に開いた差込穴９を差込棒６にはめると、同時に蓋溝１０に蓋１もはまって、ケ−スを密閉できるこれらのものを、緩衝材で知られる発泡プラスチック成型により形成したものであり、これらは差し込み棒６と差込穴９を設けずに形成してもよく、また発泡プラスチック成型せずに、全形を適当厚の薄板状で型取り中空形態に形成する、プラスチック射出成型により製造してもよいものである。
【考案の効果】
【０００５】  上述のように、本考案のコンパクトディスク固定包装・保存緩衝ケ−スは、コンパクトディスクがほぼピッタリはまる円筒２であるのに加え、差込棒６をディスク穴にほぼピッタリ差し込んで固定するので、コンパクトディスクがケ−ス内で固定され動かない効果があり、さらに従来のプラスチック射出成型品と違い、発泡プラスチック成型なので軽量でプラスチックの使用量が少なく、従って省資源効果と低コスト効果があり、その上空気を多く含んでクッション性に優れているので、強い衝撃に対してケ−ス破損の心配が無く、しかもそのショックが収納コンパクトディスクに及ばないので、安全に保護できる効果がある。
【考案を実施するための最良の形態】
【０００６】  本考案のコンパクトディスク固定包装・保存緩衝ケ−スは、図１に示されるように、緩衝効果にすぐれたことで知られる、発泡プラスチック成型により全体が成るもので、入り枚数のコンパクトディスクを積み重ねた上に、コンパクトディスク径より若干大きい、円盤状の蓋１を重ねた外形の筒形を、発泡プラスチックの四角ブロック３に、ほぼピッタリ落とし込めるようにくり抜いて円筒２＋蓋溝１０を成し、その円筒底４の中心に、コンパクトディスク記録面を円筒底４から若干浮かすように、記録面にかからない大きさで円台５を立ち上げ、さらにその中心に、コンパクトディスク穴をほぼピッタリ差し込めて差し込み易いように、先端角を若干ア−ルにした丸棒状の差込棒６を、四角ブロック３の高さまで立ち上げ、さらに四角ブロックの四隅に、コンパクトディスクを指で挟んで取り出せるように、指を差し込める大きさの半円筒状の指入溝７が、円筒２と蓋溝１０の側面から全高でくぼみ抜かれており、これらによって本考案の容器部８が形成され、そして図２に示す別途に設けた蓋１の中心に、差込棒６がほぼピッタリ入る差込穴９が開いているので、差込棒６にはめ込むと、同時に円筒２開口部の蓋溝１０に蓋１もピッタリはまって、本考案のケ−スは密閉されディスクを固定収納できる。
【実施例】
【０００７】  また、差込棒６と差込穴９を設けず、ディスク穴に差込棒６を差し込まない構造にしてもよく、また指入溝７は四角ブロック３の四隅に設けず、対角の二つだけに設けてもよく、その形は半円筒に限らず自由な形の凹み抜きにしてもよく、また円台５は外径部のみ立ち上げるリング状にしたり、蓋１の内面中心にも立ち上げてもよく、また本考案のケ−スを発泡プラスチック成型せず、全形を適当厚の薄板状で型取り、中空形態に形成するプラスチック射出成型にしてもよい。【０００８】  さらに図３に示す、紙やプラスチックシ−トでできた筒ケ−ス１１の中に、本考案のコンパクトディスク固定包装・保存緩衝ケ−スを差し込んで入れたり、シュリンクパック・フィルムパック・フィルムラップ等のフイルムでカバ−したりして、さらに上にパッケ−ジングを重ねて製品完成体とするものである。
【図面の簡単な説明】
【０００９】
【図１】  本考案のコンパクトディスク固定包装・保存緩衝ケ−スの、容器部８の一実施例を示す斜視図である。
【図２】  本考案のコンパクトディスク固定包装・保存緩衝ケ−スの、蓋１の一実施例を示す斜視図である。
【図３】  本考案のコンパクトディスク固定包装・保存緩衝ケ−スをパッケ−ジングする、参考一実施例を示す筒ケ−ス１１の斜視図である。
【符号の説明】
【００１０】  １    蓋
２    円筒
３    四角ブロック
４    円筒底
５    円台
６    差込棒
７    指入溝
８    容器部
９    差込穴
１０  蓋溝
１１  筒ケ−ス
【図１】
0003139004.tif 000003
【図２】
0003139004.tif 000004
【図３】
0003139004.tif 000005